(57)【特許請求の範囲】
【請求項１】
複数の音楽コンテンツ表示データを記憶する音楽コンテンツ記憶手段と、
複数の音楽コンテンツ表示データの画像データを順序付けて１つにまとめた画像データである曲集画像データを複数記憶する曲集データ記憶手段と、
音楽コンテンツ記憶手段に記憶される各音楽コンテンツ表示データの表示可否の状態に応じて、曲集データ記憶手段に記憶される複数の曲集画像データの中から１つの曲集画像データを選出する曲集画像データ選出手段と、
曲集画像データ選出手段により選出された曲集画像データを表示する曲集画像データ表示手段と
を具備することを特徴とする音楽コンテンツ表示装置。
【請求項２】
複数の音楽コンテンツ表示データを記憶する音楽コンテンツ記憶手段と、複数の音楽コンテンツ表示データの画像データを順序付けて１つにまとめた画像データである曲集画像データを複数記憶する曲集データ記憶手段とを具備し、音楽コンテンツ表示装置として機能するコンピュータに、
音楽コンテンツ記憶手段に記憶される各音楽コンテンツ表示データの表示可否の状態に応じて、曲集データ記憶手段に記憶される複数の曲集画像データの中から１つの曲集画像データを選出する曲集画像データ選出ステップと、
曲集画像データ選出ステップで選出された曲集画像データを表示する曲集画像データ表示ステップと
から成る手順を実行させる音楽コンテンツ表示プログラム。
【請求項３】
前記曲集画像データ選出ステップは、
前記音楽コンテンツ記憶手段に記憶される全ての音楽コンテンツ表示データが表示可能状態であるか否かを判定する表示可能判定ステップと、
該表示可能判定ステップで、前記音楽コンテンツ記憶手段に記憶される全ての音楽コンテンツ表示データが表示可能状態であると判定されたときに、当該全ての音楽コンテンツ表示データの画像データを順序付けて１つにまとめた曲集画像データを選出する全表示可能データ選出ステップと
を含む請求項２に記載の音楽コンテンツ表示プログラム。
【請求項４】
前記曲集画像データ選出ステップでは、各曲集画像データと各曲集画像データに含まれる画像データに対応する複数の音楽コンテンツ表示データとを対応付けた曲集・コンテンツ対応データによって対応付けられる全ての音楽コンテンツ表示データが表示可能状態である曲集画像データを選出する請求項２に記載の音楽コンテンツ表示プログラム。
【請求項５】
前記曲集画像データ表示ステップは、
特定のページ、現在表示しているページの次のページ、現在表示しているページの前のページを表示させる譜めくり指示を受けたことを検出する譜めくり指示検出ステップと、  該譜めくり指示検出ステップで検出された譜めくり指示に応じて、現在表示中の曲集画像データ内の次に表示すべきページを決定し、決定されたページに該当するページに表示更新する表示更新ステップと
を含む請求項２〜４の何れか１項に記載の音楽コンテンツ表示プログラム。
【請求項６】
前記曲集データ記憶手段に記憶されている曲集画像データの各ページに、通し番号のページ番号が付与されていることを特徴とする請求項２〜５の何れか１項に記載の音楽コンテンツ表示プログラム。
【発明の詳細な説明】
【技術分野】
【０００１】
この発明は、楽譜表示データなどの楽曲に関する音楽コンテンツ表示データを表示する音楽コンテンツ表示システムに関する。
【背景技術】
【０００２】
従来より、ユーザ所望の楽曲に関する楽譜表示データなどの音楽コンテンツ表示データを表示することができる表示装置が知られている。例えば、特許文献１の電子楽器は、鍵盤、フットスイッチ、表示画面、外部記憶装置、通信Ｉ／Ｆ、音源回路、効果回路、サウンドシステムなどから構成され、ユーザ操作により選択された楽曲の楽譜データに従って楽譜を表示することができる。表示された楽譜は、フットスイッチによりページ切り替えが行われる。また、楽譜表示データ即ち楽譜データには、対応する楽曲の演奏データから生成されたものや、記憶装置から読み出した対応楽曲の楽譜論理データを元に生成したものや、対応楽曲の楽譜画像データそのものを記憶装置から読み出したものなどがある。
【０００３】
しかしながら、従来技術では、楽曲毎に楽譜データが用意されているので、別の楽曲の楽譜を表示しようとしたときは、再度、選曲を行わなければならない。複数曲にわたる楽譜を連続的に見るということができない。
【０００４】
また、表示可能な楽譜データと表示不可能な楽譜データが混在する場合、楽譜表示を指示する際に、表示可能な楽譜かどうかを確認しなければならない。例えば、ユーザが楽譜データをダウンロードなどにより取得した後に別途使用許諾を受ける手続きをして初めて楽譜表示を行うことができるような場合、ダウンロードしただけの状態では、楽譜データはユーザの手元に存在するが楽譜表示はできない。或いは、或る電子楽器には、対応した楽譜データが元々記憶されているが、この電子楽器を正規に購入したという情報が入力される（認識される）まで、この電子楽器に対応した楽譜データを表示することができないようになっている場合もある。この場合、ユーザは、例えば、楽譜データ一覧を表示することにより、記憶される全ての楽譜データの存在を知ることができるが、表示可能な楽譜データと表示不可能な楽譜データとが混在する状態があり得る。
【先行技術文献】
【特許文献】
【０００５】
【特許文献１】特開２００７−２４９０３３号公報
【発明の概要】
【発明が解決しようとする課題】
【０００６】
この発明は、このような事情に鑑み、ユーザに複数回の楽曲選択操作をさせることなく、表示可能状態にある複数の音楽コンテンツ表示データ（楽譜表示データなど）を曲集として連続的に表示させることができる音楽コンテンツ表示システムを提供することを目的とする。
【課題を解決するための手段】
【０００７】
この発明の主たる特徴に従うと、複数の音楽コンテンツ表示データ（Ｄｉ：Ｄｉ１〜Ｄｉ６）を記憶する音楽コンテンツ記憶手段（ＡＲ）と、複数の音楽コンテンツ表示データ（Ｄｉ）の画像データ（Ｂｄ）を順序付けて１つにまとめた画像データである曲集画像データ（Ｄａ）を複数（Ｄａ：Ｄａ１〜Ｄａ３）記憶する曲集データ記憶手段（ＡＲ）と、音楽コンテンツ記憶手段（ＡＲ）に記憶される各音楽コンテンツ表示データ（Ｄｉ）の表示可否（Ａｖ）の状態に応じて、曲集データ記憶手段（ＡＲ）に記憶される複数の曲集画像データ（Ｄａ）の中から１つの曲集画像データ（Ｄａ）を選出する曲集画像データ選出手段（Ｐ６：図９）と、曲集画像データ選出手段（Ｐ６）により選出された曲集画像データ（Ｄａ）を表示する曲集画像データ表示手段（６；Ｐ８〜Ｐ１１：図１０）とを具備する音楽コンテンツ表示装置（ＳＴ）〔請求項１〕、並びに、複数の音楽コンテンツ表示データ（Ｄｉ：Ｄｉ１〜Ｄｉ６）を記憶する音楽コンテンツ記憶手段（ＡＲ）と、複数の音楽コンテンツ表示データ（Ｄｉ）の画像データ（Ｂｄ）を順序付けて１つにまとめた画像データである曲集画像データ（Ｄａ）を複数（Ｄａ：Ｄａ１〜Ｄａ３）記憶する曲集データ記憶手段（ＡＲ）とを具備し、音楽コンテンツ表示装置（ＳＴ）として機能するコンピュータに、音楽コンテンツ記憶手段（ＡＲ）に記憶される各音楽コンテンツ表示データ（Ｄｉ）の表示可否（Ａｖ）の状態に応じて、曲集データ記憶手段（ＡＲ）に記憶される複数の曲集画像データ（Ｄａ）の中から１つの曲集画像データ（Ｄａ）を選出する曲集画像データ選出ステップ（Ｐ６：図９）と、曲集画像データ選出ステップ（Ｐ６）で選出された曲集画像データ（Ｄａ）を表示する曲集画像データ表示ステップ（Ｐ８〜Ｐ１１：図１０）とから成る手順を実行させる音楽コンテンツ表示プログラム〔請求項２〕が提供される。なお、括弧書きは、理解の便のために付記した実施例の参照記号や用語、参照箇所等であり、以下においても同様である。
【０００８】
この発明による音楽コンテンツ表示プログラムの曲集画像データ選出ステップ（Ｐ６：図９）は、音楽コンテンツ記憶手段（ＡＲ）に記憶される全ての音楽コンテンツ表示データ（Ｄｉ：Ｄｉ１〜Ｄｉ６）が表示可能状態であるか否かを判定する表示可能判定ステップ（Ｑ１１）と、表示可能判定ステップ（Ｑ１１）で、音楽コンテンツ記憶手段（ＡＲ）に記憶される全ての音楽コンテンツ表示データ（Ｄｉ）が表示可能状態であると判定されたときに（Ｑ１１＝ＹＥＳ）、当該全ての音楽コンテンツ表示データの画像データを順序付けて１つにまとめた曲集画像データ（Ｄａ２）を選出する全表示可能データ選出ステップ（Ｑ１２）とを含む〔図９（１）〕〔請求項３〕ように構成することができる。
【０００９】
或いは、この発明による音楽コンテンツ表示プログラムの曲集画像データ選出ステップ（Ｐ６：図９）では、各曲集画像データ（曲集名Ｎａ）と各曲集画像データに含まれる画像データに対応する複数の音楽コンテンツ表示データ（楽曲名Ｎｉ）とを対応付けた曲集・コンテンツ対応データ（Ｄｃ）によって対応付けられる全ての音楽コンテンツ表示データ（Ｄｉ）が表示可能状態である曲集画像データ（Ｄａ）を選出する〔Ｑ２１〜Ｑ２５：図９（２）〕〔請求項４〕ように構成することができる。
【００１０】
また、これらの発明による音楽コンテンツ表示プログラムの曲集画像データ表示ステップ（Ｐ８〜Ｐ１１：図１０）は、特定のページ、現在表示しているページの次のページ、或いは、現在表示しているページの前のページを表示させる譜めくり指示を受けたことを検出する譜めくり指示検出ステップ（Ｒ１＝ＹＥＳ，Ｒ３＝ＹＥＳ，Ｒ６＝ＹＥＳ）と、譜めくり指示検出ステップ（Ｒ１＝ＹＥＳ，Ｒ３＝ＹＥＳ，Ｒ６＝ＹＥＳ）で検出された譜めくり指示に応じて、現在表示中の曲集画像データ内の次に表示すべきページ（Ｐｎ）を決定し、決定されたページ（Ｐｎ）に該当するページに表示更新する表示更新ステップ（Ｒ２，Ｒ４〜Ｒ５，Ｒ７〜Ｒ１０）とを含む〔請求項５〕ように構成することができる。
さらに、前記コンピュータが具備する前記曲集データ記憶手段（ＡＲ）に記憶されている曲集画像データ（Ｄａ）の各ページには、通し番号のページ番号（Ｐｎ）が付与されている〔請求項６〕ように構成することができる。
【発明の効果】
【００１１】
この発明の主たる特徴による音楽コンテンツ表示システムでは〔請求項１，２〕、楽譜表示データなどの音楽コンテンツ表示データ（Ｄｉ：Ｄｉ１〜Ｄｉ６）が、複数、音楽コンテンツ記憶手段（ＡＲ）に記憶され、複数［種類］の曲集画像データ（Ｄａ：Ｄａ１〜Ｄａ３）が曲集データ記憶手段（ＡＲ）に記憶される。ここで、曲集画像データ（Ｄａ）は、複数の音楽コンテンツ表示データ（Ｄｉ）の画像データ（Ｂｄ）を順序付けて１つにまとめた画像データである。音楽コンテンツ記憶手段（ＡＲ）に記憶されている音楽コンテンツ表示データ（Ｄｉ）を表示する際は、各音楽コンテンツ表示データ（Ｄｉ）が表示可否（Ａｖ）の何れの状態にあるかを調べ、調べた結果に応じて、曲集データ記憶手段（ＡＲ）に記憶される複数［種類］の曲集画像データ（Ｄａ）の中から１つの曲集画像データ（Ｄａ２）を選出する（Ｐ６：図９）。そして、選出された曲集画像データ（Ｄａ）を画面に表示する（６；Ｐ８〜Ｐ１１：図１０）。
【００１２】
つまり、この発明では、表示可能状態にある各音楽コンテンツ表示データ（楽譜表示データなど）の画像データを所定の順番で並べた曲集画像データが複数種類用意されており、記憶されている音楽コンテンツ表示データ（楽譜表示データなど）の表示可否の状態に応じて適した曲集画像データが選択され表示される。
【００１３】
従って、この発明によれば、ユーザに複数回の楽曲選択操作をさせることなく、表示可能状態にある複数の音楽コンテンツ表示データ（楽譜表示データなど）を曲集として連続的に表示させることができ、ユーザは、複数曲分の楽譜を１冊の曲集のように見ることができる。つまり、ユーザによる選曲操作を繰り返すことなく、連続的に複数曲にわたる楽譜或いは楽曲に関連したページ単位での音楽コンテンツ表示データ（楽譜表示データなど）を表示することができる。それ故、ユーザは、楽譜表示データが表示可能かどうかを意識することなく、表示可能な楽譜だけを見ることができる。
【００１４】
この発明による音楽コンテンツ表示プログラムでは〔請求項３〕、曲集画像データ選出の際は（Ｐ６）、音楽コンテンツ記憶手段（ＡＲ）に記憶される全ての音楽コンテンツ表示データ（Ｄｉ：Ｄｉ１〜Ｄｉ６）が表示可能状態であるか否かを判定し（Ｑ１１）、全音楽コンテンツ表示データ（Ｄｉ）が表示可能状態であると判定されたときに（Ｑ１１＝ＹＥＳ）、当該全ての音楽コンテンツ表示データの画像データを順序付けて１つにまとめた曲集画像データ（Ｄａ２）を選出する（Ｑ１２）ようにしている〔図９（１）〕。従って、この発明によれば、当初、音楽コンテンツ記憶手段に記憶される音楽コンテンツ表示データのうち一部が表示可能状態であり、ユーザが一度正規購入などの手続きを行うと、自動的に、残りの音楽コンテンツ表示データも表示可能状態になるような場合に、最適の曲集画像データに従って音楽コンテンツ表示データを表示することができる。
【００１５】
或いは、この発明による音楽コンテンツ表示プログラムでは〔請求項４〕、曲集画像データ選出の際は（Ｐ６）、各曲集画像データ（曲集名Ｎａ）と各曲集画像データに含まれる画像データに対応する複数の音楽コンテンツ表示データ（楽曲名Ｎｉ）とを対応付けた曲集・コンテンツ対応データ（Ｄｃ）によって対応付けられる全ての音楽コンテンツ表示データ（Ｄｉ）が表示可能状態である曲集画像データ（Ｄａ）を選出する（Ｑ２１〜Ｑ２５）ようにしている〔図９（２）〕。従って、この発明によれば、曲集データ記憶手段（ＡＲ）に記憶される各曲集画像データについて音楽コンテンツ表示データ（Ｄｉ）との対応データ（Ｄｃ）を用意することにより、最適の曲集画像データに従って音楽コンテンツ表示データを表示することができる。
【００１６】
また、これらの発明による音楽コンテンツ表示プログラムでは〔請求項５〕、曲集画像データ表示の際は（Ｐ８〜Ｐ１１）、特定のページ、現在表示しているページの次のページ、或いは、現在表示しているページの前のページを表示させる譜めくり指示を受けたことを検出すると（Ｒ１＝ＹＥＳ，Ｒ３＝ＹＥＳ，Ｒ６＝ＹＥＳ）、検出された譜めくり指示に応じて、現在表示中の曲集画像データ内の次に表示すべきページ番号（Ｐｎ）を決定し、決定されたページ番号（Ｐｎ）に該当するページに表示更新する（Ｒ２，Ｒ４〜Ｒ５，Ｒ７〜Ｒ１０）ようにしている（図１０）。従って、この発明によれば、ユーザ操作に基づく譜めくり指示に応じて、順次、所望の音楽コンテンツの所望のページを表示していくことができる。
【図面の簡単な説明】
【００１７】
【図１】この発明の一実施例による音楽コンテンツ表示装置のハードウエア構成例を示す。
【図２】この発明の一実施例におけるデータの記憶例を示す。
【図３】この発明の一実施例における楽譜表示データの構造例を示す。
【図４】この発明の一実施例における曲集・コンテンツ対応データの例を示す。
【図５】この発明の一実施例における曲集画像データＤａの例〔１〕を示す。
【図６】この発明の一実施例における曲集画像データＤａの例〔２〕を示す。
【図７】この発明の一実施例における曲集画像データＤａの例〔３〕を示す。
【図８】この発明の一実施例による曲集画像データ表示処理の例を示すフローチャートである。
【図９】この発明の一実施例による曲集画像データ選出処理の例を示すフローチャートである。
【図１０】この発明一実施例による譜めくり処理の例を示すフローチャートである。
【発明を実施するための形態】
【００１８】
〔音楽コンテンツ表示装置のハードウエア構成〕
図１は、この発明の一実施例による音楽コンテンツ表示装置のハードウエア構成を示す。この音楽コンテンツ表示装置ＳＴは、ハードウエア構成として、中央処理装置（ＣＰＵ）１、ランダムアクセスメモリ（ＲＡＭ）２、読出専用メモリ（ＲＯＭ）３、記憶装置４、入力操作部５、表示部６、音声入力部７、通信インターフェース（通信Ｉ／Ｆ）８などの要素を備え、これら要素１〜８はバス９を介して互いに接続される。なお、音楽コンテンツ表示装置ＳＴにはタブレット（タッチパネル）型のモバイル情報処理装置を用い、入力操作部５及び表示部６はタッチパネルで構成するのが好ましい。
【００１９】
音楽コンテンツ表示装置ＳＴ全体を制御するＣＰＵ１は、「曲集画像データ表示処理」と呼ばれる音楽コンテンツ表示プログラムを含む各種制御プログラムに従って各種処理を実行するデータ処理部を構成し、各種制御プログラムに従い種々の処理を実行する。ＲＡＭ２は、これらの処理に際して必要な各種データを記憶しておいたり一時的に保持するのに用いられ、ＲＯＭ３には、所定の制御プログラムや制御用データが記憶されている。
【００２０】
記憶装置４は、ＨＤ（ハードディスク）やフラッシュメモリ等の記憶媒体とその駆動装置を含み、制御プログラムや種々のデータを任意の記憶媒体に記憶することができる。記憶媒体は、この音楽コンテンツ表示装置ＳＴに内蔵されていてもよいし、外付けの各種記憶用メディア（メモリカード、ＵＳＢメモリ、ＣＤ−Ｒなど）のように着脱可能であってもよい。また、記憶装置４には、音楽コンテンツ表示プログラムなどのアプリケーションや、音楽コンテンツ表示データ（Ｄｉ）、曲集画像データ（Ｄａ）、曲集・コンテンツ対応データ（Ｄｃ）などのデータを記憶しておくことができる。
【００２１】
入力操作部５は、スイッチ等の操作子に対する操作を検出し、操作に対応する各種指示情報をデータ処理部に導入する。表示部６は、ＬＣＤ等の表示器（ディスプレイ）の表示内容をＣＰＵ１からの指令に従って制御し、各種操作に対する表示援助を行う。なお、タッチパネルを使用して操作子及び表示器の機能を一体化することができる。音声入力部７は、マイクロフォン（マイクと略称される）及び音声信号入力部を備え、マイクを通じて入力される音声信号を音声信号入力部を通じてデータ処理部に導入することができる。
【００２２】
通信Ｉ／Ｆ８は、ＭＩＤＩ等の音楽用有線Ｉ／Ｆ、ＵＳＢ等の汎用ネットワークＩ／Ｆ又は無線Ｌａｎ等の汎用近距離無線Ｉ／Ｆ等を含み、ネットワークＣＮを通じてサーバＳＶ等と交信するのに用いられる。例えば、サーバＳＶから、楽譜表示データや楽曲ガイド用イラストデータ等の音楽コンテンツ表示データを取得し、記憶装置４の所定の記憶領域（ＡＲ）に記憶しておくことができる。
【００２３】
〔音楽コンテンツ表示データ及び曲集画像データ〕
この発明の一実施例による音楽コンテンツ表示システムでは、複数の音楽コンテンツ表示データ（楽譜表示データ）及び複数の曲集画像データが音楽コンテンツ表示装置の所定の記憶領域に記憶され、音楽コンテンツ表示データの利用可能状態（＝表示可能状態）に適合した曲集画像データに従って、複数の楽曲にわたる音楽コンテンツ表示データの画像を順次表示していくことができる。図２〜図７は、この発明の一実施例による音楽コンテンツ表示システムで用いられる種々のデータを説明するための図であり、図２は、音楽コンテンツ表示データ（楽譜表示データ）の記憶例を示す。
【００２４】
音楽コンテンツ表示装置ＳＴに備えられた記憶装置４内の楽曲表示データ記憶領域ＡＲ、例えば、記憶領域内の「フォルダＡ」には、複数の楽譜表示データＤｉ：Ｄｉ１，Ｄｉ２，…，Ｄｉ６（参照記号「Ｄｉ」は任意の楽譜表示データを示す）が音楽コンテンツ表示データとして記憶されており、これらの楽譜表示データＤｉの利用可能状態の変化に対応させた複数の曲集画像データＤａ：Ｄａ１，Ｄａ２，Ｄａ３が記憶されている。また、必要に応じて曲集・コンテンツ対応データＤｃを記憶領域ＡＲに記憶することができる。
【００２５】
なお、この例では、楽譜表示データ（音楽コンテンツ表示データ）Ｄｉ及び曲集画像データＤａが同じ場所（パス）ＡＲに記憶されているが、例えば、別の「フォルダＢ」に分けるなど、異なる場所（パス）に記憶されていてもよい。また、楽譜表示データ（音楽コンテンツ表示データ）Ｄｉは、この表示装置ＳＴの内蔵記憶媒体に記憶されていてもよいし、この表示装置ＳＴに着脱可能な記憶媒体に記憶されていてもよい。或いは、ネット経由でアクセス可能な他の記憶媒体に記憶されていてもよい。曲集画像データの保存（記憶）場所についても同様のことがいえる。
【００２６】
楽譜表示データ（音楽コンテンツ表示データ）Ｄｉ：Ｄｉ１，Ｄｉ２，…，Ｄｉ６は、それぞれ、１つの楽曲の楽譜を表わすデータであり、この音楽コンテンツ表示装置ＳＴでは、利用可能な状態であれば、１つの楽曲の楽譜を単独で表示するのに用いることができる。図３は、この発明の一実施例における楽譜表示データの構造例を示す。各楽譜表示データＤｉは、属性情報Ａｔ及び画像データ（表示データ実体）Ｂｄで構成され、属性情報Ａｔには、当該楽譜表示データＤｉのＩＤ、名前（楽曲名、曲名）Ｎｉ、記憶場所（パス情報）、ページ数、表示可否情報Ａｖなどが含まれる。なお、属性情報Ａｔは、楽譜表示データＤｉのファイル名の中に埋め込むことができる。この場合、ファイル名は、例えば、「“ＩＤ−楽譜の名前−ページ数”．“表示可否情報Ａｖを判定することができる拡張子”」などの書式で表わされ、楽譜表示データの中身は画像データＢｄのみになる。画像データＢｄは、楽曲名（曲名ともいう）Ｎｉの楽譜を表示部６の画面に表示するための楽譜表示データＤｉの実体データであり、例えば、ＰＤＦファイル形式で記述される。
【００２７】
図２において、白地のブロックＤｉ１，Ｄｉ２，Ｄｉ４，Ｄｉ５は、現在、利用可能な状態にある楽譜表示データを表わし、斜線を施したブロックＤｉ３，Ｄｉ６は、現在、利用不可能な状態にある楽譜表示データを表わす。つまり、図２に示す例では、楽曲表示データ記憶領域ＡＲには、現在、楽曲名Ｎｉが「○○○」、「△△△」、「◎◎◎」、「□□□」の楽譜表示データＤｉ１，Ｄｉ２，Ｄｉ４，Ｄｉ５は利用可能即ち表示可能な状態で記憶されており、楽曲名Ｎｉが「×××」、「▼▼▼」の楽譜表示データＤｉ３，Ｄｉ６は利用不可能即ち表示不可能な状態で記憶されている。
【００２８】
表示不可能な状態で記憶されている楽譜表示データ（音楽コンテンツ表示データ）Ｄｉ３，Ｄｉ６は、例えば、この音楽コンテンツ表示装置ＳＴと共に使用される電子楽器などの電子音楽装置（「関連電子音楽装置」という）を正規に購入したことを表わす「正規購入済み情報」が入力されたときに（例えば、関連電子音楽装置から音声入力部７を介して音声入力される）、表示不可能な楽譜表示データＤｉが全て表示可能状態に変えられる。或いは、当該楽譜表示データＤｉ３，Ｄｉ６自体のライセンス取得や正規購入などの電子的な手続きを行うことにより、段階的に表示不可能状態から表示可能状態に変えられる。
【００２９】
なお、各楽譜表示データＤｉが表示（利用）可能かどうかは、前述したように、当該表示データが表示（利用）可能かどうかを示す表示可否情報Ａｖをデータ内に又はデータに対応付けて属性情報的に持っていてもよいし、ファイル名の拡張子で判断することができるようにしてもよい。或いは、ファイル名自体に、表示不可能の場合は所定の文字列を付けてファイル名自体から判断できるようにしてもよい。また、表示可能なものと不可能なものを記憶場所（例えば、フォルダ別や記憶媒体別）で区別するようにしてもよい。
【００３０】
また、例えば、ユーザがこの音楽コンテンツ表示装置ＳＴに対応する関連電子音楽装置（電子楽器）の正規購入の手続きを行うと、自動的に、表示装置ＳＴに記憶されている楽譜表示データ（音楽コンテンツ表示データ）Ｄｉが全て表示可能状態になるような場合には、全ての楽譜表示データＤｉが表示可能状態であるか一部の楽譜表示データＤｉが表示可能状態であるかを示す専用フラグを表示装置ＳＴ内に用意しておき、専用フラグの状態を調べることにより、全ての楽譜表示データが表示可能状態であるか、一部の楽譜表示データのみが表示可能状態であるかを判断できるような仕組みにしてもよい。
【００３１】
曲集画像データＤａ：Ｄａ１，Ｄａ２，Ｄａ３は、この音楽コンテンツ表示装置ＳＴで表示部６の画面に、表示可能状態にある所定の複数楽曲分の楽譜画像を複数ページにわたって表示するためのデータであり、ＰＤＦなどで作成される。より具体的に説明すると、曲集画像データＤａは、図５〜図７に例示されるように、先頭に設けられた目次データ部と、これに後続し、複数のページ画像データから成る画像データ部とにより構成される。
【００３２】
目次データ部は、楽曲表示データ記憶領域ＡＲに記憶されている全ての楽譜表示データ（音楽コンテンツ表示データ）Ｄｉ１〜Ｄｉ６のうち当該曲集画像データＤａで表示される所定数の楽譜表示データＤｉの夫々について、例えば、表示順位Ｏｄ、楽曲名Ｎｉ、先頭ページ番号Ｐｈ、総ページ数Ｐｔなどの複数の案内項目で案内する１行分の案内情報を、所定の順序に従い所定数の行でユーザ操作可能に表示するための目次データ（目次表示データ、目次画像データともいう）Ｔａが記述される。つまり、ユーザ操作により目次データＴａの所望の行が選択されると、曲集画像データＤａの画像データ部から、選択された行の先頭ページ番号Ｐｈに該当するページの画像データ（選択された行の楽譜表示データの先頭ページの画像データに相当する）が指定され画面に表示される。目次データＴａは、表示される楽譜表示データＤｉの数（楽曲数）が多くなると複数ページにわたることがある。目次ページＴａにおいて、記憶装置４の楽譜表示データ記憶領域ＡＲに記憶されてはいるが、表示不可能な楽譜表示データＤｉについては、図示の例では、ユーザ操作による選択（表示）ができないことが分るように、楽曲名Ｎｉの表示態様を変えてダーク表示Ｄｋにし、他の案内項目を表示しないようにている。しかしながら、リストアップ（表示）せずに不表示とする（次の表示可能な楽譜表示データの情報を詰めて表示する）ように設計してもよい。
【００３３】
また、画像データ部は、当該曲集画像データＤａで表示される所定数の楽譜表示データＤｉの画像データＢｄを通しのページ番号Ｐｎで順序付けて並べ１つにまとめた画像データであり、夫々ページ番号Ｐｎが付記された複数のページ画像データで構成される。また、各ページ画像データには、ページ番号Ｐｎが付記されており、画面にページ画像データが表示されるとページ番号Ｐｎも表示される。
【００３４】
なお、目次ページＴａの設け方については、図示の例では、曲集画像データＤａの先頭に目次ページＴａが設けているが、画像データ部の画像と対応付けた別の画像データで目次ページを持っていてもよい。また、曲集画像データＤａには、楽譜の画像だけでなく、曲集名情報、記憶場所や、対応する楽譜表示データ（音楽コンテンツ表示データ）Ｄｉを特定するＩＤなどのデータ特定情報が記録されていてもよい。
【００３５】
図５に示す曲集名：“Ａ−Ｓｔａｎｄａｒｄ”の曲集画像データＤａ１は、同図（１）に示されるように、目次画像データＴａ１が記録された目次データ部と、楽譜表示データ記憶領域ＡＲに記憶されている楽譜表示データＤｉ１〜Ｄｉ６のうち、楽曲名Ｎｉが○○○、△△△、◎◎◎及び□□□の楽譜表示データＤｉ１，Ｄｉ２，Ｄｉ４，Ｄｉ５に含まれる全ページの画像データが、１４ページ分のページ画像データとして記録された画像データ部とから成る。目次画像データＴａ１は、同図（２）に示されるように、画像データ部の記録内容に応じて、楽譜表示データＤｉ１，Ｄｉ２，Ｄｉ４，Ｄｉ５に関する案内情報（表示順位Ｏｄ、楽曲名Ｎｉ、先頭ページ番号Ｐｈ、総ページ数Ｐｔ）を１行ずつ所定の順番で選択可能に表示するのに用いられ、楽譜表示データ記憶領域ＡＲに記憶されているが表示対象ではない楽譜表示データＤｉ３，Ｄｉ６については、その楽曲名：×××、▼▼▼をダーク表示Ｄｋで表示するだけであり、当該楽譜表示データＤｉ３，Ｄｉ６を選択することができないようになっている。
【００３６】
図６に示す曲集名：“Ａ−Ａｌｌ”の曲集画像データＤａ２は、同図（１）に示されるように、目次画像データＴａ２が記録された目次データ部と、楽譜表示データ記憶領域ＡＲに記憶されている全ての楽譜表示データＤｉ１〜Ｄｉ６に含まれる全ページの画像データが、２１ページ分のページ画像データとして記録された画像データ部とから成る。目次画像データＴａ２は、同図（２）のように、画像データ部の記録内容に応じて、全楽譜表示データＤｉ１〜Ｄｉ６に関する案内情報（表示順位Ｏｄ、楽曲名Ｎｉ、先頭ページ番号Ｐｈ、総ページ数Ｐｔ）を１行ずつ所定の順番で選択可能に表示するのに用いられる。
【００３７】
図７に示す曲集名：“Ａ−Ｏｔｈｅｒ”の曲集画像データＤａ３は、同図（１）に示されるように、目次画像データＴａ３が記録された目次データ部と、楽譜表示データ記憶領域ＡＲに記憶されている全ての楽譜表示データＤｉ１〜Ｄｉ６のうち、楽曲名が○○○、△△△、×××、◎◎◎及び□□□の楽譜表示データＤｉ１〜Ｄｉ５に含まれる全ページの画像データが、１７ページ分のページ画像データとして記録された画像データ部とから成る。目次画像データＴａ３は、同図（２）に示されるように、画像データ部の記録内容に応じて、楽譜表示データＤｉ１〜Ｄｉ５に関する案内情報（表示順位Ｏｄ、楽曲名Ｎｉ、先頭ページ番号Ｐｈ、総ページ数Ｐｔ）を１行ずつ所定の順番で選択可能に表示するのに用いられ、楽譜表示データ記憶領域ＡＲに記憶されているが表示対象ではない楽譜表示データＤｉ６については、その楽曲名：▼▼▼をダーク表示Ｄｋで表示するだけで選択することができないようになっている。
【００３８】
この音楽コンテンツ表示システムでは、第１ルール或いは第２ルールに従い、複数の曲集画像データＤａ中から、所定の記憶領域ＡＲに記憶されている複数の楽譜表示データＤｉの表示可能状態に応じた最適の曲集画像データＤａが選出され、選出された曲集画像データＤａに従って、利用可能状態にある複数の楽譜表示データＤｉに相当する楽譜画像を順次表示していくことができる。
【００３９】
第１ルールによると、記憶領域ＡＲに記憶されている全ての楽譜表示データＤｉにつき表示可能状態を調べ、表示可能状態にある全ての楽譜表示データＤｉの画像データＢｄをまとめた曲集画像データＤａを選出し、選出された曲集画像データＤａに従って表示を行う。例えば、図２のように、楽譜表示データ記憶領域ＡＲに楽譜表示データＤｉ１〜Ｄｉ６及び曲集画像データＤａ１〜Ｄａ３が記憶されており、楽譜表示データＤｉ３，Ｄｉ６のみ表示不可能状態にある場合、第１ルールによると、記憶領域ＡＲにある全ての表示可能な楽譜表示データＤｉ１，Ｄｉ２，Ｄｉ４，Ｄｉ５をまとめた曲集画像データＤａ１が選出され、選出された曲集画像データＤａ１のページ画像データを順次表示していく。
【００４０】
一方、関連電子音楽装置の購入により、図２の表示不可能状態が全て表示可能状態に変化し、全ての楽譜表示データＤｉ１〜Ｄｉ６が表示可能状態になると、記憶領域ＡＲにある全ての表示可能な楽譜表示データＤｉ１〜Ｄｉ６をまとめた曲集画像データＤａ２が選出され、選出された曲集画像データＤａ２のページ画像データを順次表示していく。
【００４１】
第２ルールでは、図２下部に括弧で括って示される曲集・コンテンツ対応データＤｃが用いられる。曲集・コンテンツ対応データＤｃは、図４に示すように、各曲集画像データＤａと各曲集画像データＤａに含まれる複数の画像データに対応（相当）する楽譜表示データＤｉとを、例えば、両者の名称（曲集名Ｎａ及び楽曲名Ｎｉ）で、対応付けたデータである。第２ルールによると、曲集・コンテンツ対応データＤｃによって対応付けられている全ての楽譜表示データＤｉが表示可能状態である曲集画像データＤａ（このような曲集画像データＤａが複数ある場合は、対応付けられている楽譜表示データＤｉの数が最多のもの）を選出し、選出された曲集画像データＤａに従って表示を行う。
【００４２】
例えば、図２のように、楽譜表示データ記憶領域ＡＲに楽譜表示データＤｉ１〜Ｄｉ６及び曲集画像データＤａ１〜Ｄａ３が記憶されており、楽譜表示データＤｉ３，Ｄｉ６のみ表示不可能状態にある場合、第２ルールによると、曲集・コンテンツ対応データＤｃによって曲集画像データＤａ１(A-Standard)に対応付けられている全ての楽譜表示データＤｉ１，Ｄｉ２，Ｄｉ４，Ｄｉ５（○○○、△△△、◎◎◎、□□□）が表示可能状態であるので、曲集画像データＤａ１が選出され、選出された曲集画像データＤａ１に従って表示を行う。次に、楽譜表示データＤｉ３のライセンス取得手続により、図２の状態から楽譜表示データＤｉ３が表示可能状態に変わると、曲集画像データＤａ３ (A-Other)に対応付けられる全ての楽譜表示データＤｉ１〜Ｄｉ５（○○○、△△△、×××、◎◎◎、□□□）が表示可能状態になり、曲集画像データＤａ３は曲集画像データＤａ１より楽譜表示データＤｉの数が多いので、曲集画像データＤａ３が選出される。さらに、楽譜表示データＤｉ６のライセンス取得手続により、図２の状態から楽譜表示データＤｉ６が表示可能状態に変わると、曲集画像データＤａ２ (A-All)に対応付けられる全ての楽譜表示データＤｉ１〜Ｄｉ６が表示可能状態になり、曲集画像データＤａ２は曲集画像データＤａ１，Ｄａ３より楽譜表示データＤｉの数が多いので、曲集画像データＤａ２が選出される。
【００４３】
以上のように、この音楽コンテンツ表示システムでは、所定の記憶領域に記憶された複数の音楽コンテンツ表示データ（楽譜表示データ）Ｄｉ：Ｄｉ１，Ｄｉ２，…に対応して、複数の音楽コンテンツ表示データ（楽譜表示データ）Ｄｉ１，Ｄｉ２，…の画像データが通しのページ番号Ｐｎを付けて順番に並べられた曲集画像データＤａを複数種類（Ｄａ１〜Ｄａ３）用意しておく。音楽コンテンツ（楽譜）表示の際には、用意された複数種類の曲集画像データＤａ：Ｄａ１〜Ｄａ３の中から、音楽コンテンツ表示データ（楽譜表示データ）の表示可否（Ａｖ）の状態に応じた最適の曲集画像データＤａが選出され、選出された曲集画像データＤａに従った表示がなされる。
【００４４】
〔動作例〕
図８は、この発明の一実施例による曲集画像データ表示処理の動作を説明するためのフローチャートである。この曲集画像データ表示処理は、音楽コンテンツ表示装置の電源ＯＮ或いはプログラムの起動によってスタートし、ＣＰＵ１は、最初のステップＰ１で、初期設定を行い、参照するパス〔表示対象となる曲集画像データ及び参照対象となる楽譜表示データ（音楽コンテンツ表示データ）の記憶場所〕、画面サイズ、１ページ表示か２ページ表示か、最初に表示するページ（目次ページ、１ページ目など）等を設定する。
【００４５】
次のステップＰ２では、参照している場所に曲集画像データＤａが記憶されているか否かを判定し、参照した場所に曲集画像データがないときは（Ｐ２＝ＮＯ）、ステップＰ３に進んで、その旨にメッセージを表示部６の画面に表示し、更にステップＰ４に進む。ステップＰ４では、参照する場所（パス）を変更する希望がユーザにあるか否か判定し、かかる希望がなければ（Ｐ４＝ＮＯ）、直ちにこの曲集画像データ表示処理を終了する。一方、パス変更の希望があるときは（Ｐ４＝ＹＥＳ）、ステップＰ５に進み、参照する場所（パス）の設定変更を行い、ステップＰ２に戻る。
【００４６】
ステップＰ２で参照箇所に曲集画像データＤａが記憶されていると判定したときは（Ｐ２＝ＹＥＳ）、ステップＰ６に進んで曲集画像データ選出処理を行い、その後、ステップＰ７に進む。ステップＰ７では、曲集画像データが選出されたか否かを判定し、選出されなかったときは（Ｐ７＝ＮＯ）、ステップＰ１２で、表示できる曲集画像データがない旨のメッセージを画面に表示し、その後、この曲集画像データ表示処理を終了する。
【００４７】
ステップＰ７で曲集画像データが選出されたと判定したときは（Ｐ７＝ＹＥＳ）、ステップＰ８に進み、ステップＰ１の初期設定における「最初に表示するページ」の設定内容に従って、選出された曲集画像データＤａを１ページ分表示する。なお、初期設定で「２ページ表示」を設定した場合、つまり、１ページずつではなく、見開き２ページで表示する場合には、例えば、次のように表示する：
最初に表示すると設定されたページが、
１．目次ページの場合は、見開き２ページにレイアウトして表示する。
２．奇数のページ番号Ｐｎの場合は、該当するページの画像データを左側に、続く偶数ページの画像データを右側に並べて表示する。
３．偶数のページ番号Ｐｎの場合は、該当するページの画像データを右側に、１つ前の奇数ページの画像データを左側に並べて表示する。
【００４８】
ステップＰ８の処理の後は、ステップＰ９に進んで、この曲集画像データ表示処理を終了する指示を受け付けたか否かを判定し、このような終了指示を受け付けていないときは（Ｐ９＝ＮＯ）、ステップＰ１０で、譜めくり指示を受け付けたか否かを判定し、受け付けたときは（Ｐ１０＝ＹＥＳ）、ステップＰ１１で譜めくり処理を行う。
【００４９】
ステップＰ１０で、譜めくり指示を受け付けていないと判定したとき（Ｐ１０＝ＮＯ）、或いは、ステップＰ１１の譜めくり処理の後は、ステップＰ９に戻り、ここで、曲集画像データ表示処理を終了する指示を受け付けたと判定したときには（Ｐ９＝ＹＥＳ）、この曲集画像データ表示処理を終了する。
【００５０】
図９は、曲集画像データ表示処理（図８）のステップＰ６で行われる曲集画像データ選出処理の動作を表わすフローチャートであり、（１），（２）の曲集画像データ選出処理Ａ，Ｂによって、楽譜表示データ記憶領域ＡＲに記憶されている各楽譜表示データＤｉに関する現在の表示可能状態に応じた適切な曲集画像データＤａを選出することができる。
【００５１】
（１）曲集画像データ選出処理Ａ
図９（１）の曲集画像データ選出処理Ａは、所定の記憶領域ＡＲに記憶される楽譜表示データ（音楽コンテンツ表示データ）Ｄｉのうち一部が表示可能状態で、ユーザが一度正規購入などの手続きを行うと残りの楽譜表示データ（音楽コンテンツ表示データ）も表示可能状態になるようなケースで実行される。つまり、図２のデータ記憶例において、記憶領域ＡＲには、括弧で括ったデータＤａ３，Ｄｃが存在せず、楽譜表示データＤｉ３，Ｄｉ６が、当初は表示不可能状態で、その後、表示可能状態になるケースが該当する。また、関連する全ての楽譜表示データは、曲集画像データ表示処理（図８）の初期設定ステップ（Ｐ１）で設定された場所（パス）〔記憶領域ＡＲに相当〕に記憶されているとし、以下、図２に関する上記ケースに沿って曲集画像データ選出処理Ａを説明する。
【００５２】
この曲集画像データ選出処理Ａがスタートすると、ＣＰＵ１は、ステップＱ１１で、関連する全ての楽譜表示データ（音楽コンテンツ表示データ）Ｄｉ１〜Ｄｉ６が表示可能状態であるか否かを判定する。なお、この判定のために、全ての楽譜表示データ（音楽コンテンツ表示データ）が、表示可能状態であるかどうかの情報をフラグで持っていてもよい。ここで、全ての楽譜表示データＤｉ１〜Ｄｉ６が表示可能状態であるときは（Ｑ１１＝ＹＥＳ）、ステップＱ１２にて、関連する全楽譜表示データの画像データを順に並べた画像データである曲集画像データＤａ２（曲集“Ａ−Ａｌｌ”）を選出する。
【００５３】
一方、ステップＱ１１で、全ての楽譜表示データＤｉ１〜Ｄｉ６が表示可能状態であるとは云えないと判定したときには（Ｑ１１＝ＮＯ）、ステップＱ１３で、関連する楽譜表示データＤｉ１〜Ｄｉ６のうち、表示可能状態である画像データを順に並べた画像データである曲集画像データＤａ１（曲集“Ａ−Ｓｔａｎｄａｒｄ”）を選出する。ステップＱ１２、Ｑ１３の処理の後は、曲集画像データ選出処理Ａを終了し、曲集画像データ表示処理（図８）のステップＰ７にリターンする。
【００５４】
（２）曲集画像データ選出処理Ｂ
図９（２）の曲集画像データ選出処理Ａは、所定の記憶領域ＡＲに記憶される各曲集画像データについて楽譜表示データ（音楽コンテンツ表示データ）との対応データが用意されているケースで実行される。つまり、図２のデータ記憶例において、括弧が削除され、記憶領域ＡＲにはデータＤａ３，Ｄｃも存在し、２つの楽譜表示データＤｉ３，Ｄｉ６が、当初は表示不可能状態で、その後、１つずつ段階的に表示可能状態になっていくケースが該当する。また、関連する全ての楽譜表示データ（音楽コンテンツ表示データ）は、曲集画像データ表示処理（図８）の初期設定ステップ（Ｐ１）で設定された場所（パス）〔記憶領域ＡＲに相当〕に記憶されているとし、以下、図２に関する上記ケースに沿って曲集画像データ選出処理Ｂの動作を説明する。
【００５５】
この曲集画像データ選出処理Ｂがスタートすると、ＣＰＵ１は、ステップＱ２１で、各曲集画像データＤａ１〜Ｄａ３について曲集・コンテンツ対応データＤｃで指定されている全ての楽譜表示データ（音楽コンテンツ表示データ）が表示可能状態であるか否かを判定し、全て表示可能状態である曲集画像データを抽出する。なお、曲集・コンテンツ対応データＤｃを自動生成する場合、例えば、各曲集画像データＤａ：Ｄａ１〜Ｄａ３の目次画像データＴａ１〜Ｔａ３を解析して対応する楽譜表示データＤｉの楽曲名Ｎｉを抽出して曲集・コンテンツ対応データＤｃを生成する、或いは、各曲集画像データＤａ１〜Ｄａ３の各ページ画像データを解析し、対応する楽譜表示データＤｉの楽曲名Ｎｉを抽出して曲集・コンテンツ対応データＤｃを生成する。
【００５６】
次のステップＱ２２では、ステップＱ２１で抽出された曲集画像データＤａが１つか否かを判定し、１つのときは（Ｑ２２＝ＹＥＳ）、ステップＱ２３に進み、抽出された曲集画像データＤａを選出する。また、抽出された曲集画像データＤａが１つでないときは（Ｑ２２＝ＮＯ）、ステップＱ２４で、抽出された曲集画像データは複数あるか否か判定する。ここで、複数あるときは（Ｑ２４＝ＹＥＳ）、ステップＱ２５に進み、対応する楽譜表示データＤｉの数が最も多い（或いは最も少ない）曲集画像データＤａを選出する。ステップＱ２３，Ｑ２５の処理の後、或いは、ステップＱ２４で複数ではない（選出なし）と判定した後は、この曲集画像データ選出処理Ｂを終了し、曲集画像データ表示処理（図８）のステップＰ７にリターンする。
【００５７】
図１０は、曲集画像データ表示処理（図８）のステップＰ１１で行われる譜めくり処理の動作を表わすフローチャートであり、目次表示があり、１ページずつ表示するように初期設定されている場合の動作を説明する。この譜めくり処理がスタートすると、ＣＰＵ１は、ステップＲ１で、特定のページ番号Ｐｎの指示を受け付けたか否か、つまり、目次からのページ番号指定であるかどうかを判定し、目次からのページ番号指定であるときは（Ｒ１＝ＹＥＳ）、ステップＲ２で、表示対象の曲集画像データから指示されたページ番号Ｐｎが付与されたページ画像データを抽出して表示更新を行う。この場合、ページ画像データ中のページ番号Ｐｎも表示する。目次からのページ番号指定でないと判定したとき（Ｒ１＝ＮＯ）、或いは、ステップＲ２で表示更新を行った後は、ステップＲ３に進み、「次へ」の指示を受け付けたか否かを判定する。
【００５８】
ここで、「次へ」の指示を受け付けたときは（Ｒ３＝ＹＥＳ）、さらに、ステップＲ４で、現在表示中のページ番号Ｐｎが表示対象の曲集画像データＤａの最終ページ番号であるか否かを判定し、最終ページ番号でなければ（Ｒ４＝ＮＯ）、ステップＲ５で、表示対象の曲集画像データＤａから現在表示中のページ番号Ｐｎに対し次のページ番号が付与されたページ画像データを抽出して表示更新を行う。ここで、ページ画像データ中のページ番号Ｐｎも表示する。「次へ」の指示を受け付けていないとき（Ｒ３＝ＮＯ）、最終ページ番号のページ画像データを表示していると判定したとき〔Ｒ４＝ＹＥＳ（「次へ」の譜めくり指示が選択できなくなっていてもよい）〕、或いは、ステップＲ５で表示更新を行った後は、ステップＲ６に進み、「前へ」の指示を受け付けたか否かを判定する。
【００５９】
ここで、「前へ」の指示を受け付けたときは（Ｒ６＝ＹＥＳ）、ステップＲ７で、現在表示対象の曲集画像データＤａの目次Ｔａを表示しているのか否かを判定し、目次Ｔａを表示していないときは（Ｒ７＝ＮＯ）、さらに、ステップＲ８に進んで、現在表示中のページ番号Ｐｎが「１」であるか否か、つまり、対応する最初の楽譜表示データＤｉの最初のページにあたるページ画像データを表示中であるか否かを判定する。そして、最初のページ画像データを表示しているときは（Ｒ８＝ＹＥＳ）、ステップＲ９で、表示対象の曲集画像データＤａから目次の表示データＴａを抽出して表示更新を行い、最初のページ画像データを表示していないときには（Ｒ８＝ＮＯ）、ステップＲ１０で、表示対象の曲集画像データＤａから現在表示中のページ番号Ｐｎに対し前のページ番号が付与されたページ画像データを抽出して表示更新を行う。この場合、ページ画像データ中のページ番号Ｐｎも表示する。また、ステップＲ６で「前へ」の指示を受け付けていないと判定したとき（Ｒ６＝ＮＯ）、ステップＲ７で目次Ｔａを表示していると判定したとき〔Ｒ７＝ＹＥＳ（「前へ」の譜めくり指示が選択できなくなっていてもよい）〕、或いは、ステップＲ９，Ｒ１０で表示更新を行った後は、この譜めくり処理を終了し、曲集画像データ表示処理（図８）のステップＰ９にリターンする。
【００６０】
なお、１ページずつではなく見開き２ページで表示する場合は、次のように表示する：
・目次ページＴａの場合は、見開き２ページにレイアウトして表示する。
・「次へ」の場合は、２ページ先を表示対象とする。
・「前へ」の場合は、２ページ前を表示対象とする。
・目次から指定したページ番号Ｐｎが奇数の場合は、指定したページを左側に、次のページを右側に並べて表示する。
・目次から指定したページ番号Ｐｎが偶数の場合は、指定したページを右側に、前のページを左側に並べて表示する。
【００６１】
〔種々の実施態様及び補足事項〕
以上、図面を参照しつつこの発明に関する音楽コンテンツ表示について一具体例を説明したが、これに限らず、種々の変更が可能である。例えば、音楽コンテンツ表示データＤｉについては、実施例では１楽曲分の楽譜表示データを用いているが、楽曲に関連したページ単位での表示データであればよく、例えば、楽曲に対応した紙芝居的な楽曲ガイド用イラストデータを用いてもよい。
【００６２】
表示画面は、タッチパネルでもよいし、周辺にボタンなどの操作子を備えた画面であってもよい。また、選択や決定などを指示するための操作子が画面中に配置され、これら操作子に対しカーソルなどをユーザが操作して所望の指示を行うような形態でもよい。
【００６３】
曲集画像データＤａに対応付けられている複数の音楽コンテンツ表示データ（楽譜表示データ）Ｄｉに対応する音楽コンテンツ再生データ（音楽再生データ）を記憶或いはアクセス可能な状態にしておいてもよい。この場合、楽譜の表示と音楽の再生が連動するように構成することができ、表示画面付きの音楽コンテンツ再生装置や表示画面付き電子楽器などにおいて実施してもよいし、或いは、表示と再生とをそれぞれ別の装置で行い、例えば、表示装置が再生装置側から譜めくり用の信号を受信して楽譜表示を制御するような仕組みにしてもよい。例えば、曲集画像データＤａ中に楽譜表示される各音楽コンテンツ表示データ（楽譜表示データ）Ｄｉを特定する情報を持つようにすると、曲集画像データ表示中に再生を同期させることが可能となる。
【００６４】
ユーザ操作による譜めくりの指示については、例えば、曲集画像データＤａの楽譜表示中に表示画面の左端エリアをタッチすると、「前に戻る」指示を行い、右端エリアをタッチすると「次へ」の指示を行うようにしてもよい。また、画面中乃至画面近傍に、ユーザ操作可能な「前へ」ボタン及び「次へ」ボタンを配置してもよい。さらに、表示したいページをテンキーなどで直接指定させる仕組みがあってもよい。
【００６５】
また、音楽の再生と連動して譜めくりを行う場合には、再生中の楽曲の再生位置でページ切り替えの判断をすることができる。再生に伴った譜めくり信号を受信する場合には、受信した譜めくり信号で指定された楽譜（表示データ）のページにより、表示中の曲集（画像データ）におけるページを検出して表示制御を行うことになる。
【００６６】
さらに、再生とは無関係に、例えば、演奏操作子を持つ電子楽器からの信号或いは操作を検出し、譜めくり指示と解釈させるようにしてもよい。例えば、電子楽器の或る操作子が操作されたときに出力される情報、例えば、ペダルＯＮ／ＯＦＦ情報や、演奏に使うことがないような押鍵（例えば、鍵盤の最高音から２音同時押鍵など）の検出情報などに応じて譜めくりを行わせることができる。
【００６７】
曲集画像データＤａについては、実施例では、所定の記憶領域ＡＲに記憶されている音楽コンテンツ表示データ（楽譜表示データ）Ｄｉ：Ｄｉ１〜Ｄｉ６のうち一部が表示可能な状態にある曲集画像データを１つ用意する（Ｄａ１）と共に、全部の音楽コンテンツ表示データ（楽譜表示データ）が表示可能な状態にある曲集画像データ（Ｄａ２）を用意ししておき、表示する曲集画像データを切り換えている。
【００６８】
ここで、所定の記憶領域ＡＲには、一部が表示可能な状態にある曲集画像データを複数種類用意することができる。この場合、記憶領域ＡＲに記憶されている音楽コンテンツ表示データ（楽譜表示データ）Ｄｉのうち表示可能状態が、どの曲集画像データＤａに適合するか（或いは、矛盾がないか）を判別しなければならない。これを判別する方法は、まず、曲集画像データＤａで表示する音楽コンテンツ表示データ（楽譜表示データ）Ｄｉの種類（リスト）を抽出し、抽出された種類に対応する全ての音楽コンテンツ表示データ（楽譜表示データ）が表示可能状態である場合、この曲集画像データＤａが該当するとし、該当するものが複数ある場合には、例えば、表示する音楽コンテンツ表示データ（楽譜表示データ）Ｄｉの数（曲数）が多い曲集画像データに決定する。
【００６９】
曲集画像データＤａで表示される音楽コンテンツ表示データ（楽譜表示データ）Ｄｉの種類は、目次の画像データＴａを解析して抽出する、音楽コンテンツ表示（楽譜）画像中の曲名にあたる部分を抽出する、画像データとは別に記憶された対応する音楽コンテンツ表示データ（楽譜表示データ）Ｄｉを特定する情報のリスト（曲集画像データＤａ内に持っていてもよいし、曲集画像データＤａに対応付けて曲集画像データＤａとは別に記憶されていてもよい）を参照する、などの方法によって、得ることができる。
或いは、曲集画像データＤａの名前Ｎａで区別するようにしてもよい。例えば、一部のみ表示可能な曲集画像データＤａの名前Ｎａは「○○曲集（一部）」とし、全部表示可能な曲集画像データＤａの名前Ｎａは「○○曲集（全部）」とする。該当する曲集画像データＤａが複数種類ある場合は、名前Ｎａを、例えば、１，２，…などの番号にして表示可能な音楽コンテンツ表示データ（楽譜表示データ）の組合せとの対応付け情報をテーブルなどで別途記憶しておけば、複数の曲集画像データＤａを名前Ｎａを元に切り替えることができる。
【符号の説明】
【００７０】
ＳＴ ，ＡＲ 音楽コンテンツ表示装置及び楽曲表示データ記憶領域、
Ｄｉ：Ｄｉ１，Ｄｉ２，…  楽譜表示データ又は音楽コンテンツ表示データ、
Ｄａ：Ｄａ１〜Ｄａ３  曲集画像データ、
Ｔａ：Ｔａ１〜Ｔａ３  目次ページデータ又は目次画像データ、
Ｄｃ  曲集・コンテンツ対応データ、
Ａｔ，Ｂｄ  表示データＤｉの属性情報及び実体データ、
Ｎａ  曲集名（曲集画像データＤａの名前）、
Ｎｉ  楽譜名又は楽曲名（表示データＤｉの名前）。
【図１】
0005790475.tif 000002
【図２】
0005790475.tif 000003
【図３】
0005790475.tif 000004
【図４】
0005790475.tif 000005
【図５】
0005790475.tif 000006
【図６】
0005790475.tif 000007
【図７】
0005790475.tif 000008
【図８】
0005790475.tif 000009
【図９】
0005790475.tif 000010
【図１０】
0005790475.tif 000011